(57)【特許請求の範囲】
【請求項１】
画像データに対する画像編集又は画像調整が行われた際に注文枚数の変更処理を行って、前記画像データの印刷の注文を受け付ける画像出力受付端末であって、
画像データと、前記画像データの注文枚数を示す注文枚数データとを対応させて記憶する記憶手段と、
前記画像データの画像に、オブジェクト画像を上書きする画像編集を行なう画像編集手段と、
前記画像データの画像に、オブジェクト画像を上書きしない画質調整又は配置調整である画像調整を行なう画像調整手段と、
前記画像編集手段により画像データの画像編集が行われた際、画像編集前の画像データの注文枚数が０でない場合、画像編集後の画像データと対応させて前記記憶手段に記憶する注文枚数データの注文枚数を、画像編集前の画像データの注文枚数と等しい値とするとともに、画像編集前の画像データと対応させて前記記憶手段に記憶された注文枚数データの注文枚数を０とし、画像編集前の画像データの注文枚数が０の場合、画像編集後の画像データと対応させて前記記憶手段に記憶する注文枚数データの注文枚数を１とし、前記画像調整手段により画像データの画像調整が行われた際、画像調整前の画像データの注文枚数が０の場合、画像調整後の画像データと対応させて前記記憶手段に記憶する注文枚数データの注文枚数を１とする注文枚数処理手段と、
前記注文枚数データの示す前記注文枚数で、対応する前記画像データの印刷を実行するための注文を決定する注文決定手段と、
を具備することを特徴とする画像出力受付端末。
【請求項２】
画像データと、前記画像データの注文枚数を示す注文枚数データとを対応させて記憶する記憶手段を有する画像出力受付端末により、前記画像データに対する画像編集又は画像調整が行われた際に注文枚数の変更処理を行って、前記画像データの印刷の注文を受け付ける画像出力受付方法であって、
前記画像データの画像に、オブジェクト画像を上書きする画像編集を行なう画像編集ステップと、
前記画像データの画像に、オブジェクト画像を上書きしない画質調整又は配置調整である画像調整を行なう画像調整ステップと、
前記画像編集ステップにより画像データの画像編集が行われた際、画像編集前の画像データの注文枚数が０でない場合、画像編集後の画像データと対応させて前記記憶手段に記憶する注文枚数データの注文枚数を、画像編集前の画像データの注文枚数と等しい値とするとともに、画像編集前の画像データと対応させて前記記憶手段に記憶された注文枚数データの注文枚数を０とし、画像編集前の画像データの注文枚数が０の場合、画像編集後の画像データと対応させて前記記憶手段に記憶する注文枚数データの注文枚数を１とし、前記画像調整ステップにより画像データの画像調整が行われた際、画像調整前の画像データの注文枚数が０の場合、画像調整後の画像データと対応させて前記記憶手段に記憶する注文枚数データの注文枚数を１とする注文枚数処理ステップと、
前記注文枚数データの示す前記注文枚数で、対応する前記画像データの印刷を実行するための注文を決定する注文決定ステップと、
を含むことを特徴とする画像出力受付方法。
【請求項３】
コンピュータを請求項１に記載の画像出力受付端末として機能させるためのプログラム。
【請求項４】
コンピュータを請求項１に記載の画像出力受付端末として機能させるためのプログラムを記憶した記憶媒体。
【発明の詳細な説明】
【技術分野】
【０００１】
本発明は、利用者が所有する記憶媒体や携帯端末などに記憶されている画像データの印刷を受け付ける画像出力受付端末等に関する。
【背景技術】
【０００２】
近年、利用者が所有する記憶媒体に記憶されている画像データの印刷を行う画像出力受付端末が広く普及している。利用者は、画像出力受付端末を操作することにより、デジタルカメラ等で撮影した画像を印刷することができる。
【０００３】
このような画像出力受付端末では、一般に、選択した画像データに対して、拡大縮小、回転、明るさおよびカラーバランスの調整や、ドローイング画像の合成や、画像出力受付端末内に記憶されているフレーム画像やスタンプ画像の合成などの編集を行なうことが可能である。
【０００４】
画像出力受付端末には、例えば画像をサムネイル形式で一覧表示し、各画像データのプリントを行なう注文枚数をそれぞれ指定できるとともに、画像データの調整や編集を選択した場合には上記のような画像調整、画像編集が可能な画面へと移行可能とする、図１５に例を示すような画像一覧画面１０００を表示するものがある。図１５において、「＋」ボタン１００３や「−」ボタン１００４の選択により、対応する画像データ（サムネイル画像１００１）の注文枚数を変更可能であり、注文枚数は注文枚数表示領域１００２に表示される。また、画像編集ボタン１００５の選択により、画像データの画像調整や画像編集が可能な画面へと移行する。このような画像出力受付端末の例として、特許文献１に記載の受付装置が挙げられる。
【先行技術文献】
【特許文献】
【０００５】
【特許文献１】特開２０１０−１２８５７６号公報
【発明の概要】
【発明が解決しようとする課題】
【０００６】
しかしながら、従来の画像データの編集等、および注文枚数指定の処理においては、画像編集の種類によっては、これを行なった画像データについて、注文者の意図しない注文枚数になることがあった。
【０００７】
例えば、注文枚数が１枚であった画像データについて画像編集を行なった後に、元の画像データの注文枚数を１枚のままとするとともに、編集後の画像データを画像データとして追加し、その注文枚数を０枚とすることがある。編集後の画像データを注文枚数を０枚として追加し、元の画像データの注文枚数変更は行なわないこの処理は注文枚数の処理として通常考えられるものであり、ごく一般的である。
【０００８】
しかし、これに続く印刷の選択時、編集後の画像データをプリントしたいユーザは、自ら編集を行なった画像データが当然プリントされるものと期待し、編集後の画像データについて何ら注文枚数の変更を行なわずプリントを選択する場合が多く、この場合ユーザの意図に反して編集前の元の画像データがプリントされてしまう。これは利用者の満足度を低下させる要因となっていた。
【０００９】
本発明は、前述した問題点に鑑みてなされたもので、利用者にとっての満足度を高めることが可能な画像出力受付端末等を提供することを目的とする。
【課題を解決するための手段】
【００１０】
前述した課題を解決するため第１の発明は、画像データに対する画像編集又は画像調整が行われた際に注文枚数の変更処理を行って、前記画像データの印刷の注文を受け付ける画像出力受付端末であって、画像データと、前記画像データの注文枚数を示す注文枚数データとを対応させて記憶する記憶手段と、前記画像データの画像に、オブジェクト画像を上書きする画像編集を行なう画像編集手段と、前記画像データの画像に、オブジェクト画像を上書きしない画質調整又は配置調整である画像調整を行なう画像調整手段と、前記画像編集手段により画像データの画像編集が行われた際、画像編集前の画像データの注文枚数が０でない場合、画像編集後の画像データと対応させて前記記憶手段に記憶する注文枚数データの注文枚数を、画像編集前の画像データの注文枚数と等しい値とするとともに、画像編集前の画像データと対応させて前記記憶手段に記憶された注文枚数データの注文枚数を０とし、画像編集前の画像データの注文枚数が０の場合、画像編集後の画像データと対応させて前記記憶手段に記憶する注文枚数データの注文枚数を１とし、前記画像調整手段により画像データの画像調整が行われた際、画像調整前の画像データの注文枚数が０の場合、画像調整後の画像データと対応させて前記記憶手段に記憶する注文枚数データの注文枚数を１とする注文枚数処理手段と、前記注文枚数データの示す前記注文枚数で、対応する前記画像データの印刷を実行するための注文を決定する注文決定手段と、を具備することを特徴とする画像出力受付端末である。
【００１４】
前述した目的を達するための第２の発明は、画像データと、前記画像データの注文枚数を示す注文枚数データとを対応させて記憶する記憶手段を有する画像出力受付端末により、前記画像データに対する画像編集又は画像調整が行われた際に注文枚数の変更処理を行って、前記画像データの印刷の注文を受け付ける画像出力受付方法であって、前記画像データの画像に、オブジェクト画像を上書きする画像編集を行なう画像編集ステップと、前記画像データの画像に、オブジェクト画像を上書きしない画質調整又は配置調整である画像調整を行なう画像調整ステップと、前記画像編集ステップにより画像データの画像編集が行われた際、画像編集前の画像データの注文枚数が０でない場合、画像編集後の画像データと対応させて前記記憶手段に記憶する注文枚数データの注文枚数を、画像編集前の画像データの注文枚数と等しい値とするとともに、画像編集前の画像データと対応させて前記記憶手段に記憶された注文枚数データの注文枚数を０とし、画像編集前の画像データの注文枚数が０の場合、画像編集後の画像データと対応させて前記記憶手段に記憶する注文枚数データの注文枚数を１とし、前記画像調整ステップにより画像データの画像調整が行われた際、画像調整前の画像データの注文枚数が０の場合、画像調整後の画像データと対応させて前記記憶手段に記憶する注文枚数データの注文枚数を１とする注文枚数処理ステップと、前記注文枚数データの示す前記注文枚数で、対応する前記画像データの印刷を実行するための注文を決定する注文決定ステップと、を含むことを特徴とする画像出力受付方法である。
【００１５】
前述した目的を達するための第３の発明は、コンピュータを第１の発明の画像出力受付端末として機能させるためのプログラムである。
【００１６】
前述した目的を達するための第４の発明は、コンピュータを第１の発明の画像出力受付端末として機能させるためのプログラムを記憶した記憶媒体である。
【００１７】
上記構成により、画像調整、画像編集に応じた注文枚数の変更処理がなされる。画像編集後の画像データの注文枚数として、自動的に編集前の画像データの注文枚数が引き継がれ、また、編集前の画像データの注文枚数が０の場合には、編集後の画像データの注文枚数が１となる。さらに編集前の画像データの注文枚数は０枚となるので、利用者が自ら編集を行なった画像データが当然プリントされるものと期待し、編集後の画像データについて何ら注文枚数の変更を行なわずプリントを選択する場合でも、この場合ユーザの意図通りに画像編集後の画像データがプリントされる。また、画像調整後に、調整前の画像データの注文枚数が０の場合には、画像調整後の画像データの注文枚数を１とすることにより、同様の効果が得られる。即ち、画像調整後の画像データが当然印刷されるものと期待する利用者が、何ら注文枚数の変更を行なわずプリントを選択した場合でも、画像調整を行なった画像データをプリントすることができる。以上により、画像出力受付端末において、利用者にとっての満足度を高めることが可能となる。
【発明の効果】
【００１８】
本発明により、利用者にとっての満足度を高めることが可能な画像出力受付端末等を提供することができる。
【図面の簡単な説明】
【００１９】
【図１】画像出力受付端末１の外観斜視図
【図２】画像出力受付端末１のハードウエアの構成を示す図
【図３】画像出力受付端末１のシステム構成を示す図
【図４】画像出力受付端末１の処理の概略を示すフローチャート
【図５】画像出力受付端末１の画像調整、画像編集、注文枚数決定の処理の流れを示すフローチャート
【図６】画像出力受付端末１の注文枚数決定の処理の流れを示すフローチャート
【図７】画像一覧画面６００の例を示す図
【図８】画像調整画面７００の例を示す図
【図９】画像編集画面８００の例を示す図
【図１０】画像データ２１と注文枚数データ２３について示す図
【図１１】画像出力受付端末１ａの概略斜視図
【図１２】画像出力受付端末１ａのハードウエアの構成を示す図
【図１３】プリンタサーバ３のハードウエア構成を示す図
【図１４】画像プリントシステム１００のシステム構成を示す図
【図１５】画像一覧画面１０００を示す図
【発明を実施するための形態】
【００２０】
以下、図面に基づいて、本発明の実施形態を詳細に説明する。図１は、本発明の実施の形態に係る画像出力受付端末１の外観斜視図である。
【００２１】
画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを取得し、内部に保持する。
【００２２】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart
Media（登録商標）、MEMORY STICK（登録商標）、USB（Universal Serial Bus）メモリ等である。
【００２３】
携帯端末は、例えば、スマートフォン、iPhone（登録商標）、カメラ付き携帯電話機、ipad（登録商標）、携帯型パーソナルコンピュータ等である。
【００２４】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示操作を受け付ける。利用者は、タッチパネル付ディスプレイ１１を介して、プリントを行なう画像データの注文枚数や画像データの選択、画像データの画像調整、画像編集の指示等を行う。
【００２５】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２６】
画像出力受付端末１の下段部の前面板１４には、レシート取出口１５、硬貨投入口１６および紙幣挿入口１７のような料金投入口、つり銭返却口１８、プリント物取出口１９、ドア開閉キー２０、メンテナンスキー２１等が設けられている。
【００２７】
レシート取出口１５、硬貨投入口１６、紙幣挿入口１７、つり銭返却口１８等は、利用者によるプリント物の注文内容に応じた入金を要求、処理する課金手段として機能する。利用者は、硬貨投入口１６に硬貨を投入したり、紙幣挿入口１７に紙幣を挿入したりすることにより、プリント物の料金を支払う。つり銭がある場合には、つり銭返却口１８から放出される。また、料金徴収後、徴収金額や注文内容等が印刷されたレシートがレシート取出口１５から放出される。
【００２８】
プリント物取出口１９には、画像出力受付端末１の筐体内に設置される１または複数のプリンタにより印刷されたプリント物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００２９】
次に、画像出力受付端末１の基本的動作について説明する。
画像出力受付端末１は、入力メディアや携帯端末から読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択し、印刷の実行を指示すると、画像出力受付端末１内のコンピュータが筐体内部のプリンタに画像データを転送する。
【００３０】
画像出力受付端末１は、プリント物の印刷注文に応じた料金を算出、表示し、利用者に支払いを要求する。画像出力受付端末１は、利用者の入金が完了すると、画像データの印刷を開始する。印刷されたプリント物は、プリント物取出口１９から排出され、利用者に提供される。
【００３１】
図２は、画像出力受付端末１のハードウエアの構成例を示すブロック図である。
画像出力受付端末１は、コンピュータ３０、各種メディア読取部４１、通信部４２、シャッタ４３、モニタ（タッチパネル付）４４、コインメック４５、ビルバリ４６、レシートジャーナル処理部（レシートプリンタ）４７、プリンタ４８等を備える。
【００３２】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８等を制御する。
【００３３】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。プログラムのコードは、制御部３１により必要に応じて読み出され、RAMに移され、CPUに読み出されて各種機能として実行される。
【００３４】
記憶部３２には、制御部３１が実行するプログラム、プログラム実行に必要なデータ、OS（Operating System）等が格納される。プログラムは、例えば、画像入力プログラム、画像調整プログラム、画像編集プログラム、注文枚数処理プログラム、印刷実行プログラム、シャッタ開閉制御プログラム、課金処理プログラム、レシート印刷処理プログラム、保守プログラム等である。データは、例えば、画像データや注文枚数のデータ等である。
【００３５】
入出力部３３は、記憶部３２に格納されているプログラム等の更新や、画像出力受付端末１の設定等を行うメンテナンス時に用いられる。
【００３６】
通信部３４は、通信制御装置、通信ポート等を有し、画像出力受付端末１と図示せぬネットワーク間の通信を媒介する通信インタフェースである。通信部３４は、ネットワークを介して画像出力受付端末１と他の外部装置との通信制御を行う。
【００３７】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００３８】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００３９】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。レシートジャーナル処理部４７は、レシート取出口１５に対応して画像出力受付端末１内部に設けられ、利用者の徴収金額や注文内容に応じたレシートを印刷する。
【００４０】
プリンタ４８は、プリント物取出口１９に対応して画像出力受付端末１内部に設けられ、画像データを印刷しプリント物として出力する。プリンタ４８は、画像データを印刷する高解像度カラープリンタであり、熱転写プリンタあるいはインクジェット型などのプリンタの方式、および設置台数等は特に問わない。
【００４１】
図３は、画像出力受付端末１のシステム構成図である。
画像出力受付端末１は、画像データ読込手段１０１、画像編集手段１０２、画像調整手段１０３、注文枚数処理手段１０４、印刷手段１０５、課金手段１０６等を備える。
【００４２】
画像データ読込手段１０１は、予め画像データが記録された入力メディア１２１や携帯端末１２２から画像データ２１を取得し記憶部３２に保持する。その他、例えばネットワークを介してオンラインにて画像データを入力する手段を備えるようにしてもよい。
【００４３】
画像編集手段１０２は、選択した画像データ２１に対して、オブジェクト画像の上書き合成を伴う画像編集を行なうものであり、例えば画像データの画像へのドローイング画像の上書き合成、画像データ２１へのスタンプ画像やフレーム画像の上書き合成等の画像編集を対話的に行う対話型インタフェースプログラムと画像編集プログラムによって実現される。画像編集手段１０２は、画像データ２１を画像編集した後の画像データを、新たな画像データ２１として追加して記憶部３２に保存する。
【００４４】
画像調整手段１０３は、選択した画像データ２１に対して、オブジェクト画像の上書き合成を伴わない画像調整を行なうものであり、例えば画像データ２１の拡大・縮小、回転等の配置調整、あるいは色み調整等の画像調整を対話的に行う対話型インタフェースプログラムと画像調整プログラムによって実現される。画像調整手段１０３は、画像データ２１を画像調整した後の画像データで、画像データ２１を更新して記憶部３２に保存する。
【００４５】
注文枚数処理手段１０４は、画面上でのユーザ入力に応じて、あるいは画像編集、画像調整に応じて、プリントを注文する画像データ２１の注文枚数の変更処理を行なうものである。
【００４６】
印刷手段１０５は、印刷を選択された（注文枚数が１以上の）画像データ２１を注文枚数分印刷する高解像度カラープリンタであり、プリント物１２３を印刷、出力する。画像出力受付端末１は、印刷時間の短縮を図るため、複数台のプリンタを備えるようにしてもよい。
【００４７】
課金手段１０６は、利用者によるプリント物１２３の印刷注文に応じた料金を算出、表示し、利用者に入金を要求し現金による課金処理を行い、レシート１２４を発行し、つり銭１２５を利用者に返す。
【００４８】
記憶部３２には、画像データ２１、オブジェクトデータ２２、注文枚数データ２３が記憶される。
【００４９】
画像データ２１は、利用者によって読み込まれた、あるいはこれを画像調整、画像編集したデータである。
オブジェクトデータ２２は、画像データ２１に上書き合成するフレーム画像やスタンプ画像の画像データ、ドローイング画像を画像データ２１に上書き合成するためのペンデータなどである。フレーム画像は、季節やイベント行事、ランドマークに関するものや、花やリボン、レース、水玉のような画像データであり、画像データ２１にフレーム状に上書き合成される画像データである。スタンプ画像データは、ハート型、星型のような画像データであり、画像データ２１にスタンプ状に上書き合成される画像データである。ペンデータは、利用者によるタッチパネル上でのドローイング操作に伴い、その軌跡の画像を画像データ２１に上書き合成するためのペンの色、太さなどを定義するものである。
注文枚数データ２３は画像データ２１のそれぞれの注文枚数を示すデータであり、各画像データ２１に対応させて注文枚数データ２３が記憶される。
【００５０】
次に、図４のフローチャートを参照して、画像出力受付端末１の処理の概略について説明する。図４は、画像出力受付端末１の処理の概略を示すフローチャートである。
【００５１】
画像出力受付端末１の制御部３１は、モニタ４４上にサービス内容、手順、案内等を示すメニュー画面（不図示）を表示し（ステップＳ５０１）、利用者にサービスの手順や内容等を選択させる。例えば、利用者は、各種の入力メディア１２１あるいは携帯端末１２２による入力方法や、支払い方法等を選択する。選択された情報は、記憶部３２等に記憶される。
【００５２】
利用者が入力メディア１２１をメディア投入口１２に挿入あるいは携帯端末１２２を通信口１３に挿入すると、画像出力受付端末１の制御部３１は、各種メディア読取部４１の入力メディア１２１に適合するメディア読取部あるいは通信部４２を起動し、挿入された入力メディア１２１あるいは携帯端末１２２に記憶された画像データを読み込み、記憶部３２に格納する（ステップＳ５０２）。
【００５３】
画像出力受付端末１の制御部３１は、記憶部３２に格納された画像データ２１のサムネイル画像の一覧をモニタ４４に表示し、利用者に画像データ２１の注文枚数の決定等を促すとともに、利用者の選択に応じて画像調整画面、画像編集画面を表示し、利用者の指示により画像の調整、編集、およびこれに伴う注文枚数の変更、決定処理を行う（ステップＳ５０３）。画像データ２１と注文枚数データ２３は紐付けて記憶される。注文枚数データ２３の初期値は例えば０枚である。
【００５４】
ステップＳ５０３における処理の流れについて、図５から図１０を用いて説明する。
図５はステップＳ５０３における画像調整、画像編集、注文枚数決定の処理の流れを示すフローチャート、図６は画像出力受付端末１の注文枚数決定の処理の流れを示すフローチャート、図７は画像一覧画面の例を示す図、図８は画像調整画面の例を示す図、図９は画像編集画面の例を示す図、図１０は画像データ２１と注文枚数データ２３について示す図である。
【００５５】
ステップＳ５０３では、図５に示すように、まず、ステップＳ６０１において、画像出力受付端末１の制御部３１が、ステップＳ５０２で読み込んだ画像データの一覧を示す画像一覧画面をモニタ４４に表示する。
【００５６】
図７は、ステップＳ６０１で表示される画像一覧画面６００の一例を示す図である。画像一覧画面６００上で、ユーザは各画像の注文枚数の決定、選択した画像の画像調整や画像編集を行うことの決定等が可能である。
【００５７】
画像一覧画面６００には、ステップＳ５０２で読み込んだ画像データ２１について、サムネイル画像６０１の一覧が表示される。また、各サムネイル画像６０１に対応して、注文枚数を減らすための「−」ボタン６０２、注文枚数を増やすための「＋」ボタン６０３、および注文枚数を表示するための注文枚数表示領域６０４が配置されている。
【００５８】
さらに、画像一覧画面６００には、タッチパネル操作により他のサムネイル画像６０１を表示するためのスクロールバー６０５や、前画面に戻るための「前に戻る」ボタン６０６、画像調整や画像編集等を行なうことを決定するための「画像調整編集」ボタン６０７、注文することを決定するための「注文する」ボタン６０８が配置されている。
【００５９】
画像出力受付端末１の制御部３１は、モニタ４４（タッチパネル付きディスプレイ１１）の各領域への接触を検出し、各領域に対応する処理を行う。制御部３１は、例えば「注文する」ボタン６０８、「画像調整編集」ボタン６０７を除く各領域に利用者が触れたことを検出すると、対応する処理を行う（ステップＳ６０２のＹＥＳ）。
【００６０】
例えば、利用者は、画像一覧画面６００で「前に戻る」ボタン６０６に触れることにより、画像出力受付端末１の処理における前画面へと戻ることができる。また、必要に応じてスクロールバー６０５の操作を行ないつつ、所望のサムネイル画像６０１に触れることにより、画像データ２１の選択を行なうことができる。新たに選択された画像データ２１のサムネイル画像６０１は枠などで強調表示される。さらに、画像データ２１の注文枚数を、例えば、「＋」ボタン６０３あるいは「−」ボタン６０２に触れることにより変更、設定することができる。各ボタンに応じて注文枚数表示領域６０４の枚数表示が変更される。
【００６１】
一方、利用者は、画像一覧画面６００で「注文する」ボタン６０８に触れることにより、現在指定されている各画像データ２１の注文枚数で、各画像データ２１の印刷を実行することができる。制御部３１は、利用者が、画像一覧画面６００で「注文する」ボタン６０８に触れたことを検出すると、各画像データ２１について設定されている注文枚数で注文が決定されたと判定し（ステップＳ６０３のＹＥＳ）、ステップＳ５０４の処理へ移る。
【００６２】
また、利用者は、「画像調整編集」ボタン６０７に触れることにより、画像データ２１の調整が可能な画像調整画面７００をモニタ４４に表示させることができる。制御部３１は、利用者が「画像調整編集」ボタン６０７に触れたことを検出すると、画像調整画面７００の表示が選択されたと判定し（ステップＳ６０４のＹＥＳ）、モニタ４４に図８に示す画像調整画面７００を表示する（ステップＳ６０５）。
【００６３】
図８に示すように、画像調整画面７００には、現在選択されている画像データ２１の画像である選択画像７０７が表示されるとともに、画像一覧画面６００と同様、選択された画像データ２１をはじめとする画像データ２１のサムネイル画像７１０、選択画像７０７や各サムネイル画像７１０に対応する「＋」ボタン７１２、「−」ボタン７１１、および枚数表示領域７１３、また、「注文する」ボタン７０５が表示される。
【００６４】
さらに、画像調整画面７００には、スクロール操作やボタン操作等のタッチパネル操作で選択画像７０７の明るさ調整、カラーバランス調整等の画質調整が可能な領域を有する画質調整部７０１と、スクロール操作やボタン操作等のタッチパネル操作により選択画像７０７の位置調整や回転、拡大・縮小等の配置調整が可能な領域を有する配置調整部７０２が表示される。ここで、上記の画質調整、配置調整は画像データ２１に対して前述したオブジェクト画像の上書き合成を伴わないものであり、このような処理をここでは画像調整と称している。
【００６５】
加えて画像調整画面７００には、これまで行なった画像調整をキャンセルするための「元に戻す」ボタン７０４や画像編集画面に移行するための「画像編集」ボタン７０３、前画面である画像一覧画面６００に戻るための「一覧に戻る」ボタン７０６が表示される。
【００６６】
先程と同様、画像出力受付端末１の制御部３１は、モニタ４４（タッチパネル付きディスプレイ１１）の各領域への接触を検出し、各領域に対応する処理を行う。制御部３１は、画質調整部７０１、配置調整部７０２、「画像編集」ボタン７０３、「注文する」ボタン７０５を除く各領域に利用者が触れたことを検出し、対応する処理を行う（ステップＳ６０６のＹＥＳ）。
【００６７】
例えば、利用者は、画像調整画面７００で「一覧に戻る」ボタン７０６に触れることにより、画像一覧画面６００を再度表示させることができる。また、所望のサムネイル画像７１０に触れることにより、選択画像の指定を行なうことができる。新たに選択された画像データ２１は選択画像７０７として表示されるとともに、そのサムネイル画像７１０が枠などで強調表示される。さらに、画像データ２１の注文枚数を、例えば、「＋」ボタン７１２あるいは「−」ボタン７１１に触れることにより変更、設定することができる。各ボタンに応じて注文枚数表示領域７１３の枚数表示が変更される。さらに、画像調整画面７００で「元に戻す」ボタン７０４に触れることにより、選択画像７０７について既になされた画質調整や配置調整等の画像調整をキャンセルすることができる。
【００６８】
一方、利用者は、画像調整画面７００で「注文する」ボタン７０５に触れることにより、現在指定されている各画像データ２１の注文枚数で、各画像データ２１の印刷を実行することができる。制御部３１は、利用者が画像調整画面７００で「注文する」ボタン７０５に触れたことを検出すると、各画像データ２１について設定されている注文枚数で注文が決定されたと判定し（ステップＳ６０７のＹＥＳ）、ステップＳ５０４の処理へ移る。
【００６９】
また、利用者は、画質調整部７０１や配置調整部７０２におけるスクロール操作やボタン操作等のタッチパネル操作により、選択画像７０７の明るさ調整、カラーバランス調整等の画質調整、あるいは選択画像７０７の位置調整や回転、拡大・縮小等の配置調整が可能である。制御部３１は、利用者が画質調整部７０１や配置調整部７０２に触れ、スクロール操作やボタン操作等のタッチパネル操作が行なわれたことを検出すると、各操作に応じた画像調整を選択画像７０７の画像データ２１に対して行い（ステップＳ６０８のＹｅｓ）、画像調整前の画像データ２１を画像調整後の画像データで更新して記憶するとともに、この際画像調整後の画像データ２１の注文枚数について以下示す注文枚数変更処理を行い（ステップＳ６０９）、利用者の次の操作入力を待つ。
【００７０】
ステップＳ６０９の注文枚数変更処理について図６（ａ）、図１０（ａ）を用いて説明する。図６（ａ）に示すように、画像出力受付端末１の制御部３１は、ステップＳ６０９において、まず、記憶部３２に記憶された調整前の元画像の画像データ２１の注文枚数を参照し（ステップＳ７０１）、これが１以上の場合、調整後の画像データ２１の注文枚数はそのままとするが、元画像の画像データ２１の注文枚数が０の場合、調整後の画像の画像データ２１の注文枚数を１と書き換える（ステップＳ７０２）。
【００７１】
即ち、図１０（ａ）に示すように、画像データＡあるいはＢを画像調整した画像データＡ’あるいはＢ’を記憶する際、その注文枚数については画像調整前の画像データＡあるいはＢの注文枚数データ２３を参照する。
【００７２】
画像データＡを画像調整した場合、元の画像データＡの注文枚数は０枚であるので、画像調整後の画像データＡ’について、その注文枚数データ２３を１に変更し記憶する。
一方、画像データＢを画像調整した場合、元の画像データＢの注文枚数は０以外（＝１）であるので、画像調整後の画像データＢ’について、その注文枚数データ２３として、元の画像データＢの注文枚数を引き継ぐ。即ち、元の画像データＢの注文枚数と同じ値（＝１）を記憶する。
【００７３】
図５の説明に戻る。利用者は、「画像編集」ボタン７０３に触れることにより、画像データ２１の編集が可能な画像編集画面８００へと表示を移行させることができる。制御部３１は、利用者が「画像編集」ボタン７０３に触れたことを検出すると、画像編集画面８００の表示が選択されたと判定し（ステップＳ６１０のＹＥＳ）、モニタ４４（タッチパネル付きディスプレイ１１）に図９に示す画像編集画面８００を表示する（ステップＳ６１１）。
【００７４】
画像編集画面８００について、図９を用いて説明する。図９に示す画像編集画面８００では、利用者により選択されている画像データ２１である選択画像８０１が表示される。また、ペンによる描画を行うための「ペン」ボタン８０２、スタンプの描画を行なうための「スタンプ」ボタン８０３、フレームの描画を行なうための「フレーム」ボタン８０４などオブジェクトの種類が選択可能なボタンが配置される。
また、スタンプやフレーム、ペン等のそれぞれについて、例えば個々のスタンプの画像など、個々のオブジェクトをタッチパネル操作により選択可能に表示するオブジェクト表示部８０６が設けられ、スタンプやフレーム、ペン等のそれぞれについて、オブジェクトの選択が可能である。
【００７５】
また、画像データ２１について既に行われた編集をキャンセルするための「元に戻す」ボタン８０５、前画面（画像調整画面７００）に戻るための「前に戻る」ボタン８０７、画像編集を確定するための「ＯＫ」ボタン８０８が表示される。
【００７６】
画像出力受付端末１の制御部３１は、モニタ４４の各領域への接触を検出し、各領域に対応する処理を行う。制御部３１は、「元に戻す」ボタン８０５や「前に戻る」ボタン８０７に利用者が触れたことを検出し、画像編集、編集結果確定以外の、各領域に対応する処理を行う（ステップＳ６１２のＹＥＳ）。
【００７７】
例えば、利用者は、画像編集画面８００で「前に戻る」ボタン８０７に触れることにより、画像調整画面７００を再度表示させることができる。また、「元に戻す」ボタン８０５に触れることにより、選択画像８０１について、既になされた画像編集をキャンセルすることができる。
【００７８】
一方、利用者は、「ペン」ボタン８０２や「スタンプ」ボタン８０３、「フレーム」ボタン８０４によりオブジェクトの種類を選択するとともに、オブジェクト表示領域８０６にてオブジェクトを選択した上で、選択画像８０１に触れつつ行なわれるドローイング操作やタッチ操作等のタッチパネル操作により、選択画像８０１の編集が可能である。制御部３１は、選択画像８０１上でドローイング操作やボタン操作等のタッチパネル操作が行なわれたことを検出する（ステップＳ６１３のＹＥＳ）と、各操作に応じてフレーム画像、スタンプ画像、ドローイング画像などのオブジェクト画像を選択画像８０１に上書き合成する画像編集を選択画像８０１の画像データ２１に対して行う。画質編集とは、画像データ２１に対してこのようなオブジェクト画像の上書き合成を伴うものを称している。
【００７９】
制御部３１は、画像編集前の画像データ２１に加えて画像編集後の画像データ２１を記憶するとともに、この際画像編集後の画像データ２１の注文枚数について以下示す処理を行い（ステップＳ６１４）、利用者の次の操作入力を待つ。
【００８０】
ステップＳ６１４の注文枚数変更処理について図６（ｂ）、図１０（ｂ）を用いて説明する。図６（ｂ）に示すように、画像出力受付端末１の制御部３１は、ステップＳ６１４において、まず、画像編集後の画像データ２１を新たな画像データ２１として追加して記憶する（ステップＳ８０１）。さらに、編集前の元画像の画像データ２１の注文枚数データ２３を参照し（ステップＳ８０２）、元画像の画像データ２１の注文枚数が０の場合、編集後の画像の画像データ２１に対応して記憶する注文枚数データ２３の注文枚数を１として書き込み（ステップＳ８０３）、元画像の画像データ２１の注文枚数が１以上の場合、元画像の画像データ２１の注文枚数を編集後の画像データ２１の注文枚数データ２３として書き込む（ステップＳ８０４）。その上で、元画像の画像データ２１の注文枚数は０とする（ステップＳ８０５）。
【００８１】
例えば、図１０（ｂ）に示すように、ステップＳ６１４で画像データＡあるいはＢを画像編集した画像データＡ’あるいはＢ’を新たな画像データ２１として追加して記憶する際、その注文枚数については画像編集前の画像データＡ、あるいはＢの注文枚数データ２３を参照する。
【００８２】
画像データＡを画像編集した場合、元の画像データＡの注文枚数は０枚であるので、画像編集後の画像データＡ’について、その注文枚数データ２３に１を書き込み記憶する。
一方、画像データＢを画像編集した場合、元の画像データＢの注文枚数は０以外（＝１）であるので、画像調整後の画像データＢ’について、その注文枚数データ２３として、元の画像データＢの注文枚数を引き継ぐ。即ち、元の画像データＢの注文枚数と同じ値（＝１）を書き込み記憶する。
その上で、元の画像データ２１の注文枚数は図１０（ｂ）に示すように０とする。
【００８３】
図５の説明に戻る。利用者は、「ＯＫ」ボタン８０８に触れることにより、画像データ２１の編集結果を確定することができる。制御部３１は、利用者が「ＯＫ」ボタン８０８に触れたことを検出すると、編集結果の確定と判定し（ステップＳ６１５のＹＥＳ）、モニタ４４に画像一覧画面６００を表示する。画像一覧画面６００には、編集を行なった後の画像データ２１のサムネイル画像６０１が追加される。
【００８４】
図４の説明に戻る。画像出力受付端末１の制御部３１は、画像一覧画面６００で印刷注文が選択される（ステップＳ６０３のＹＥＳ）、あるいは画像調整画面７００で印刷注文が選択される（ステップＳ６０７のＹＥＳ）と、課金手段１０６により課金処理を実行する（ステップＳ５０４）。すなわち、制御部３１は、印刷注文に対する代金の合計金額を算出してモニタ４４に表示する。利用者の入金が行なわれると、画像出力受付端末１の制御部３１は、注文内容に応じた画像データ２１の印刷をプリンタ４８により実行する（ステップＳ５０５）。プリント物１２３は、プリント物取出口１９に排出される。また、画像出力受付端末１の制御部３１は、合計金額、注文内容などを印刷したレシート１２４をレシートジャーナ処理部（レシートプリンタ）４７で印刷する。レシート１２４は、レシート取出口１５から放出される。
【００８５】
以上のように、画像編集、画像調整に応じた注文枚数の変更処理がなされる。画像編集前、画像調整前の画像データ２１の注文枚数が０枚以外の場合には、画像編集、画像調整後の画像データ２１の注文枚数として、自動的に編集前、調整前の画像データ２１の注文枚数が引き継がれ、画像編集の場合には、更に、元の画像データ２１の注文枚数が０枚となる。従って、利用者が自ら編集、調整を行なった画像データ２１が当然プリントされるものと期待し、編集、調整後の画像データ２１について何ら注文枚数の変更を行なわずプリントを選択する場合でも、ユーザの意図通りに画像編集、画像調整後の画像データ２１がプリントされる。また、編集前や調整前の画像データ２１の注文枚数が０枚の場合には、編集後、あるいは調整後の画像データ２１の注文枚数は１枚となる。従って、上記と同様、利用者が自ら編集や調整を行なった画像データ２１が当然プリントされるものと期待し、編集、調整後の画像データ２１について何ら注文枚数の変更を行なわずプリントを選択する場合でも、ユーザの意図通りに画像編集、画像調整後の画像データ２１がプリントされる。
【００８６】
なお、画像出力受付端末は、プリンタを内蔵するものに限らず、ネットワークを介してプリンタサーバと接続し、例えば店頭において注文受付のみを行なうものでもよい。その例が図１１〜図１４に示す画像プリントシステム１００の画像出力受付端末１ａである。なお、図１〜３等で説明したものと同様の機能を有する要素については、同じ番号を付し、説明を省略する。
【００８７】
図１１は、画像出力受付端末１ａの外観斜視図である。
図１１に示すように、画像出力受付端末１ａの上部正面に、タッチパネル付ディスプレイ１１が配置されている。タッチパネル付ディスプレイ１１の下部には、メディア投入口１２、通信口１３、レシート取出口１５が設けられる。
【００８８】
図１２は、画像出力受付端末１ａのハードウエアの構成例を示すブロック図である。
画像出力受付端末１ａは、コンピュータ３０、各種メディア読取部４１、通信部４２、シャッタ４３、モニタ（タッチパネル付）４４、レシートジャーナル処理部（レシートプリンタ）４７等を備える。
【００８９】
コンピュータ３０は、制御部３１、記憶部３２、入出力部３３、通信部３４等から構成され、各種メディア読取部４１、通信部４２、シャッタ４３、モニタ４４、レシートジャーナル処理部４７を制御する。
【００９０】
ここで、通信部３４は、通信制御装置、通信ポート等を有し、画像出力受付端末１ａとネットワーク９間の通信を媒介する通信インタフェースである。通信部３４は、ネットワーク９を介して、画像出力受付端末１ａとプリンタサーバ３間の通信制御を行う。
【００９１】
また、レシートジャーナル処理部４７で印刷されるレシートは、プリント物を受け取るための引換券として用いることもできる。
【００９２】
図１３は、プリンタサーバ３のハードウエアの構成例を示すブロック図である。
プリンタサーバ３は、制御部５１、記憶部５２、メディア入出力部（ドライブ装置）５３、通信制御部（通信制御装置、通信ポート等）５４、入力部（キーボード、ポインティングデバイス等）５５、表示部５６、通信用Ｉ／Ｆ部５７等がバス５９で接続されて構成される。
【００９３】
制御部５１は、ＣＰＵ、ＲＯＭ、ＲＡＭ等で構成され、記憶部５２に格納されたプログラムに従って、各装置を駆動制御する。
記憶部５２は、ＨＤＤ（ハードディスクドライブ）であり、制御部５１が実行するプログラム、プログラム実行に必要なデータ、ＯＳ等が格納される。プログラムに関しては、ＯＳに相当する制御プログラムや、後述する印刷データ受信手段１３１、印刷制御手段１３２を実現するためのプログラム等が格納されている。
【００９４】
メディア入出力部５３は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
通信制御部５４は、通信制御装置、通信ポート等を有し、ネットワーク９による通信を媒介する通信インタフェースであり、ネットワーク９を介して、プリンタサーバ３と、画像出力受付端末１ａ間の通信制御を行う。
【００９５】
入力部５５は、データの入力を行い、例えば、タッチパネル、キーボード、マウス等のポインティングデバイス等の入力装置を有し、操作指示、動作指示、データ入力等を行うことができる。
【００９６】
表示部５６は、液晶パネル等のディスプレイ装置等を有する。
通信用Ｉ／Ｆ部５７は、プリンタサーバ３とプリンタ５間の通信を行うためのインタフェースである。
バス５９は、各装置間の制御信号、データ信号等の授受を媒介する経路である。
【００９７】
プリンタ５は、画像データ２１の印刷出力処理を行う。プリンタ５は複数台のプリンタであってもよく、この場合印刷時間の短縮を図ることができる。
【００９８】
図１４は、画像出力受付端末１ａおよびプリンタサーバ３等からなる画像プリントシステム１００のシステム構成図である。
【００９９】
図１４に示すように、画像プリントシステム１００は、１または複数の画像出力受付端末１ａ、プリンタサーバ３、１または複数のプリンタ５が、ネットワーク９等を介して接続されて構成される。
【０１００】
ネットワーク９は、インターネット、ローカルエリアネットワーク（ＬＡＮ）等のネットワークであり、有線、無線を問わない。
【０１０１】
画像出力受付端末１ａは、画像データ読込手段１０１、画像編集手段１０２、画像調整手段１０３、注文枚数処理手段１０４、課金手段１０６等のほか、印刷データ送信手段１３０を備える。
【０１０２】
印刷データ送信手段１３０は、記憶部３２に記憶されている画像データ２１のうち印刷注文が行なわれたものを、注文枚数データ２３とともにネットワーク９を介してプリンタサーバ３に送信する。
【０１０３】
また、利用者は、必要に応じて課金手段１０６が発行するレシート１２４を提示し、印刷料金の支払いを行いプリント物を受け取る。なお、課金手段１０６は、画像出力受付端末１と同様、課金機を装備し、利用者に入金を要求して現金による課金処理を備えるようにしてもよい。
【０１０４】
プリンタサーバ３は、印刷データ受信手段１３１、印刷制御手段１３２等を有する。
印刷データ受信手段１３１は、画像出力受付端末１ａから印刷する画像データ２１および注文枚数データ２３を受信し、記憶部５２に格納する。
印刷制御手段１３２は、印刷する画像データ２１および注文枚数データ２３をプリンタ５に転送する。
【０１０５】
プリンタ５は、画像データを印刷する高解像度カラープリンタであり、画像データ２１を注文枚数データ２３に従って印刷し、プリント物１２３を出力する。熱転写プリンタあるいはインクジェット型など、プリンタの方式は問わない。また、プリンタ５の台数も複数としてよい。
【０１０６】
画像プリントシステム１００に係る処理では、画像出力受付端末１ａでは注文受付のみを行い、画像データ２１の印刷は、別に設けたプリンタ５で行なう。ユーザは料金を支払いプリント物を受け取る。
【０１０７】
このため、図４における課金処理（ステップＳ５０４）ではモニタ４４にプリント料金が表示され、入金を行なわずユーザの決定によりレシートのみ排出される。また、図４における印刷処理（ステップＳ５０５）では、印刷データ送信手段１３０により印刷注文された画像データ２１および注文枚数データ２３がプリンタサーバ３に送信され、別に設けたプリンタ５により、画像データ２１の印刷が行われる。
【０１０８】
但し、それ以外の画像出力受付端末１ａにおける処理については、図４、５を用いて説明したものと同様である。図６に示した画像調整、画像編集後の注文枚数変更処理についても同様に行われる。
【０１０９】
従って、本実施形態の画像出力受付端末１ａでも、先に説明した画像出力受付端末１と同様の効果が得られる。
【０１１０】
以上、添付図面を参照しながら、本発明に係る画像出力受付端末等の好適な実施形態について説明したが、本発明は係る例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１１】
１、１ａ………画像出力受付端末
２１………画像データ
２３………注文枚数データ
１０２………画像編集手段
１０３………画像調整手段
１０４………注文枚数処理手段
６００、１０００………画像一覧画面
７００………画像調整画面
８００………画像編集画面
【図１】
0005779883.tif 000002
【図２】
0005779883.tif 000003
【図３】
0005779883.tif 000004
【図４】
0005779883.tif 000005
【図５】
0005779883.tif 000006
【図６】
0005779883.tif 000007
【図７】
0005779883.tif 000008
【図８】
0005779883.tif 000009
【図９】
0005779883.tif 000010
【図１０】
0005779883.tif 000011
【図１１】
0005779883.tif 000012
【図１２】
0005779883.tif 000013
【図１３】
0005779883.tif 000014
【図１４】
0005779883.tif 000015
【図１５】
0005779883.tif 000016